(57)【要約】【課題】システムを簡単にする。【解決手段】電話設備が、それぞれ予め設定可能な通報に属し人によって知覚できる予め設定可能な信号を、予め設定可能な時点で出力する。通報の内容、出力すべき信号の種類および時点がデータバンクにおいて編集可能に記憶される。データバンクが電話設備内に又は電話設備に接続可能な家庭範囲のコンピュータ内に記憶される【選択図】図１
2005143111.tif 000002
【特許請求の範囲】
【請求項１】
電話設備が、それぞれ予め設定可能な通報に属し人によって知覚できる予め設定可能な信号を、予め設定可能な時点で出力し、
通報の内容、出力すべき信号の種類および時点がデータバンク内に編集可能に記憶され、データバンクが電話設備内に又は電話設備に接続可能な家庭範囲のコンピュータ内に記憶される
ことを特徴とする家庭範囲の電話設備の運転方法。
【請求項２】
通報は患者に対する医療行為指令を含むことを特徴とする請求項１記載の方法。
【請求項３】
電話設備に設定可能な迂回路を介して、信号出力が家庭範囲外の他の電話端末装置に生じさせられることを特徴とする請求項１又は２記載の方法。
【請求項４】
信号が電話設備の入力装置において肯定的または否定的に反応可能であり、否定的な反応の場合には信号が予め設定可能な時間間隔で繰り返されることを特徴とする請求項１乃至３の１つに記載の方法。
【請求項５】
信号出力の種類は、種々の音呼出、言語通知および文書通報であることを特徴とする請求項１乃至４の１つに記載の方法。
【請求項６】
データバンクは、電話設備の入力装置を介して又は電話設備に接続可能な家庭範囲のコンピュータの入力装置を介して編集可能であることを特徴とする請求項１乃至５の１つに記載の方法。
【請求項７】
データバンクはチップカードに記憶され、チップカードは電話設備のカード読取器または電話設備に接続可能な家庭範囲のコンピュータのカード読取器によって読取られることを特徴とする請求項１乃至６の１つに記載の方法。
【請求項８】
データバンクは家庭範囲外から電話設備内に、又は電話設備に接続可能な家庭範囲のコンピュータ内にダウンロードされることを特徴とする請求項１乃至７の１つに記載の方法。
【請求項９】
ダウンロードはデータ線を介して行われることを特徴とする請求項１乃至８の１つに記載の方法。
【請求項１０】
データバンクの少なくとも部分データが電子患者記録から取出されることを特徴とする請求項１乃至９の１つに記載の方法。
【請求項１１】
信号が電話設備の入力装置において肯定的または否定的に反応可能であり、その反応がタイムスタンプと共にデータバンク内に当該通報に付属させられて記憶されることを特徴とする請求項１乃至１０の１つに記載の方法。
【請求項１２】
請求項１乃至１１の１つに記載の方法を実施するために準備された電話設備。
【発明の詳細な説明】
【技術分野】
【０００１】
本発明は、家庭範囲の電話設備の運転方法およびその方法を実施するための電話設備に関する。
【背景技術】
【０００２】
１つまたは複数の薬の服用が行われなければならないか又は時間に結びついた医療措置が実行されるべきである１つまたは複数の予め定められた時点で人によって知覚され得る信号を必要に応じて発生する、とりわけ建物内に配置されているシステムは公知である（特許文献１参照）。このシステムは、時間測定装置を備えた制御装置を含む。この制御装置は、建物内において第１の位置に取付けられか又は取付け可能であり、かつ信号発生時点を予約するか又は予約可能である。更に、このシステムは制御装置に対して外部の信号装置を含む。この信号装置は、建物内又は建物範囲において第２の位置に取付けられているか又は配置可能であり、通信接続を介して制御装置と通信する。制御装置において又は制御装置により時間に関連した信号が制御装置の指令で必要な場合に発生可能である。
【０００３】
薬の取出しが行われない場合に警報信号を出力する薬の保管装置は公知である（特許文献２参照）。この関連で開示された家庭通信設備は、データバンクを持たず、警報信号の出力のためにだけ使用される。
【０００４】
薬管理のためのデータが患者自身によって流される移動式電話、すなわち携帯電話は公知である（特許文献３参照）。このようなデータを流すことは、特殊なテレホンカード、電話ホットライン呼出又はＷＡＰサービスを介して行われる。
【０００５】
電話設備から独立し電話設備における通信を介して使用者に定められた薬の服用を催促する催促装置を有する医療監視システムは公知である（特許文献４参照）。電話設備は警報信号を出力するためにだけ使用される。従って、催促装置によって、使用者に対して薬の服用のための警報指示または信号が与えられるたびに毎回、電話設備への通信接続を行わなければならない。
【０００６】
【特許文献１】独国特許出願公開第１９７５０１３９号明細書
【特許文献２】独国特許出願公開第１９８５２６０２号明細書
【特許文献３】独国特許出願公開第１００４６７６２号明細書
【特許文献４】独国特許出願公開第１９９１５６７１号明細書
【発明の開示】
【発明が解決しようとする課題】
【０００７】
本発明の課題は、従来技術において開示されたシステムに比べて簡単化されたシステムを提供することにある。
【課題を解決するための手段】
【０００８】
この課題は、本発明によれば、電話設備が、それぞれ予め設定可能な通報に属し人によって知覚できる予め設定可能な信号を、予め設定可能な時点で出力し、通報の内容、出力すべき信号の種類および時点がデータバンク内に編集可能に記憶され、データバンクが電話設備内に又は電話設備に接続可能な家庭範囲のコンピュータ内に記憶されることによって解決される。
【０００９】
請求項１によれば、家庭範囲の電話設備の運転方法において、電話設備が、それぞれ予め設定可能な通報に属し人によって知覚できる予め設定可能な信号を、予め設定可能な時点で出力する。
【００１０】
それによって、家庭範囲の電話設備内における時間制御された通報の自動化された出力が有利に実現される。
【００１１】
家庭範囲の電話設備の運転方法に関する実施態様は次の通り列記される。
（１）通報は患者に対する医療行為指令を含む。
（２）電話設備に設定可能な迂回路を介して、信号出力が家庭範囲外の他の電話端末装置に生じさせられる。
（３）信号が電話設備の入力装置において肯定的または否定的に反応可能であり、否定的な反応の場合には信号が予め設定可能な時間間隔で繰り返される。
（４）信号出力の種類は、種々の音呼出、言語通知および文書通報である。
（５）データバンクは、電話設備の入力装置を介して又は電話設備に接続可能な家庭範囲のコンピュータの入力装置を介して編集可能である。
（６）データバンクはチップカードに記憶され、チップカードは電話設備のカード読取器または電話設備に接続可能な家庭範囲のコンピュータのカード読取器によって読取られる。
（７）データバンクは家庭範囲外から電話設備内に、又は電話設備に接続可能な家庭範囲のコンピュータ内にダウンロードされる。
（８）ダウンロードは、データ線、とりわけインターネットを介して行われる。
（９）データバンクの少なくとも部分データが電子患者記録から取出される。
（１０）信号が電話設備の入力装置において肯定的または否定的に反応可能であり、その反応がタイムスタンプと共にデータバンク内に当該通報に付属させられて記憶される。
【発明を実施するための最良の形態】
【００１２】
以下における図面に基づく本発明の実施例の説明により、本発明の他の利点、特徴および詳細を明らかにする。
【００１３】
図１は、本発明の実施例として家庭範囲３０における電話設備１０を示す。電話設備１０は基礎ステーション１２および移動部分１４を含む。一実施例において、電話設備１０は家庭範囲３０の内部に配置されているコンピュータ２０に接続可能である。電話設備１０、とりわけ基礎ステーション１２内、又は電話設備１０に接続可能なコンピュータ２０内には、次の表１に従って構成されているデータバンクが格納されている。
【００１４】
【表１】
2005143111.tif 000003
【００１５】
データバンクの内容は、選択的に、キーボードおよび／またはマウスとして構成されているコンピュータの入力装置２２を介して、あるいは移動部分１４のキーボード１５を介して編集可能である。通報の出力は、選択可能な呼出音、通報の言語通知および／またはＳＭＳ（＝Ｓｈｏｒｔ  Ｍｅｓｓａｇｅ  Ｓｅｒｖｉｃｅ、ショートメッセージサービス）としての通報の任意組み合わせによって構成されている。通常の呼出迂回機能により、家庭範囲３０の外側における電話端末装置５６または携帯電話にも通報を転送することができる。
【００１６】
一実施形態においては、医療専門家および／または医療サービス者、例えば家庭医あるいは看護サービス者が端末装置５２においてパスワードによって保護されたアクセス権限を手に入れ、データ線、例えばインターネット５４を介してデータバンクにアクセスすることによって、医療専門家および／または医療サービス者、例えば家庭医あるいは看護サービス者を介してもデータバンクを編集することが可能である。他の実施形態では、データバンクのデータを、例えば端末装置５２における使用者の電子患者記録にも記憶することができ、権限を付与された者によって電子患者記録の写しとしてデータ線、例えばインターネット５４により電話装置１０のメモリ内又はコンピュータ２０のメモリ内にダウンロードすることができる。
【００１７】
他の実施形態においては、医療専門家から提供された医療行為指令に関するデータを、チップカード４２に記憶させ、カード読取装置４４又は４４’により電話設備１０又はコンピュータ２０に伝達することができる。
【００１８】
更に他の実施形態においては、移動部分１４のキーボード１５の入力キーを定義することができ、その入力キーにより医療行為指令の実施を肯定（Ｙｅｓ）で反応するか又は否定（Ｎｏ）で少なくとも一時的に拒絶することができ、それにより場合によっては予め決められた時間間隔における新しい催促を出現させることができる。一実施形態においては、電話設備１０に入力された反応情報が、データバンク内にタイムスタンプおよび当該通報との対応関係と共に記憶されるので、医療行為の時間的経過の呼出可能な記録が生じる。
【００１９】
しかしながら、医療行為指令にとって典型的な上述の説明は、家庭範囲における他の規則的な行為、例えば花への水やりにも相応に当てはまる。他の実施形態では、電話設備が、例えば移動部分を全く含まないか、あるいは複数の移動部分を装備している。
【図面の簡単な説明】
【００２０】
【図１】本発明による方法を実施するための電話設備の実施例を示す概略図
【符号の説明】
【００２１】
１０          電話設備
１２          基礎ステーション
１４          移動部分
１５          キーボード
２０          コンピュータ
２２          入力装置
３０          家庭範囲
４２          チップカード
４４，４４’  カード読取器
５２          端末装置
５４          インターネット
５６          電話端末装置
【図１】
2005143111.tif 000004